(57)【要約】      （修正有）【課題】用紙に書又は絵を描く際に、好適な盲人用用紙移動規制具を提供する。【解決手段】盲人用用紙移動規制具Ａは、書又は絵を描く用紙１を置く平坦な面を有した平坦部２と、この平坦部２の周囲を全体に亘って囲むように形成された壁３とを備えている。【選択図】図１
0003136344.tif 000002
【実用新案登録請求の範囲】
【請求項１】
書又は絵を描く用紙を置く平坦な面を有した平坦部と、
この平坦部の周囲を全体に亘って囲むように形成された壁と、
を備えていることを特徴とする盲人用用紙移動規制具。 
【請求項２】
書又は絵を描く用紙を置く平坦な面を有した平坦部と、
この平坦部の周囲を全体に亘って囲むように形成された壁と、
前記平坦部の平面視の大きさは、前記平坦部から前記用紙を取り外すために、前記用紙よりやや大きく形成されている
ことを特徴とする盲人用用紙移動規制具。 
【請求項３】
壁は、平面視、時計回りに、上辺、右辺、下辺、左辺からなる四角形状であり、
前記上辺の一部に凸部又は凹部を形成し、前記上辺の位置を触覚により識別できる
ことを特徴とする請求項１又は請求項２記載の盲人用用紙移動規制具。 
【請求項４】
壁は、平面視、時計回りに、上辺、右辺、下辺、左辺からなる四角形状であり、
前記右辺の中央部は、前記右辺のそれぞれの端部に比較し低く形成され、
前記下辺の中央部は、前記下辺のそれぞれの端部に比較し低く形成され、
前記左辺の中央部は、前記左辺のそれぞれの端部に比較し低く形成され、
前記上辺の中央部は、前記上辺のそれぞれの端部と同一高さに形成されている
ことを特徴とする請求項１又は請求項２記載の盲人用用紙移動規制具。 
【請求項５】
一端を平坦部に取り付け、他端を壁の外方へ延びるように配置されたリボンを有する
ことを特徴とする請求項１〜４のいずれか１項に記載の盲人用用紙移動規制具。 
【請求項６】
用紙は、書を描くものであり、
平坦部の上は、毛氈が位置し、
一端を前記毛氈に取り付け、他端を壁の外方へ延びるように配置されたリボンを有する
ことを特徴とする請求項１〜４のいずれか１項に記載の盲人用用紙移動規制具。 
【考案の詳細な説明】
【技術分野】
【０００１】
本考案は、盲人用用紙移動規制具に係り、特に、書又は絵を描く用紙の移動を阻止することができる盲人用用紙移動規制具に関する。
【背景技術】
【０００２】
従来、盲人が図画等を描く際の道具として、盲人用図画等教習具が知られている（例えば、特許文献１参照。）。
これは、左右二つ折り可能に形成された台紙の左半分に教習すべき図画を置き、台紙の左半分の上面に多数の突起を間隔を設けて配設した下敷きの上に、前記教習すべき図画を描く用紙を置くようにしたものである。
【特許文献１】実公昭６２−３００４３号公報
【０００３】
しかしながら、上記文献記載のものは、盲人専用のものであり、描くにしても、台紙の左半分の上面に間隔を設けて配設した多数の突起を利用するという制約の下に描くものであり、自由度が狭いという問題点があった。
また、一方、最近、熱を与えることにより発泡膨張して立体的な模様を形成する機能性インキも出現している。
【考案の開示】
【考案が解決しようとする課題】
【０００４】
本考案は、上述した機能性インキを盲人が使用して、用紙に書又は絵を描く際に、好適な盲人用用紙移動規制具を提供することを目的としている。
【課題を解決するための手段】
【０００５】
前記した目的を達成するための請求項１記載の盲人用用紙移動規制具は、書又は絵を描く用紙を置く平坦な面を有した平坦部と、この平坦部の周囲を全体に亘って囲むように形成された壁とを備えているものである。
【０００６】
また、請求項２記載の盲人用用紙移動規制具は、書又は絵を描く用紙を置く平坦な面を有した平坦部と、この平坦部の周囲を全体に亘って囲むように形成された壁と、前記平坦部の平面視の大きさは、前記平坦部から前記用紙を取り外すために、前記用紙よりやや大きく形成されているものである。
【０００７】
また、請求項３記載の盲人用用紙移動規制具は、請求項１又は請求項２記載の盲人用用紙移動規制具において、壁は、平面視、時計回りに、上辺、右辺、下辺、左辺からなる四角形状であり、前記上辺の一部に凸部又は凹部を形成し、前記上辺の位置を触覚により識別できるものである。
【０００８】
また、請求項４記載の盲人用半紙移動規制具は、請求項１又は請求項２記載の盲人用用紙移動規制具において、壁は、平面視、時計回りに、上辺、右辺、下辺、左辺からなる四角形状であり、前記右辺の中央部は、前記右辺のそれぞれの端部に比較し低く形成され、前記下辺の中央部は、前記下辺のそれぞれの端部に比較し低く形成され、前記左辺の中央部は、前記左辺のそれぞれの端部に比較し低く形成され、前記上辺の中央部は、前記上辺のそれぞれの端部と同一高さに形成されているものである。
【０００９】
また、請求項５記載の盲人用用紙移動規制具は、請求項１〜４のいずれか１項に記載の盲人用用紙移動規制具において、一端を平坦部に取り付け、他端を壁の外方へ延びるように配置されたリボンを有するものである。
【００１０】
また、請求項６記載の盲人用用紙移動規制具は、請求項１〜４のいずれか１項に記載の盲人用用紙移動規制具において、用紙は、書を描くものであり、平坦部の上は、毛氈が位置し、一端を前記毛氈に取り付け、他端を壁の外方へ延びるように配置されたリボンを有するものである。
【考案の効果】
【００１１】
請求項１記載の盲人用用紙移動規制具によれば、平坦部の周囲を全体に亘って囲むように形成された壁により、書又は絵を描く用紙の移動が阻止されるため、盲人が平坦部内の用紙に書又は絵を描くことができ、しかも、平坦部の周囲の壁の位置を触覚によって、平坦部内の用紙の位置を間接的に把握できるため、盲人が平坦部内の用紙の描きたい部位に書又は絵を描くことができ、更に、書又は絵を描く用紙に厚みがない場合、該用紙が風により移動することをも防ぐことができる。
【００１２】
また、請求項２記載の盲人用用紙移動規制具によれば、上述した請求項１記載の考案の効果に加え、平坦部の平面視の大きさは、用紙よりやや大きく形成されているため、平坦部から用紙を容易に取り外すことができる。
【００１３】
また、請求項３記載の盲人用用紙移動規制具によれば、上述した請求項１又は請求項２記載の考案の効果に加え、壁は、平面視、時計回りに、上辺、右辺、下辺、左辺からなる四角形状であり、前記上辺の一部に凸部又は凹部を形成したため、上辺の位置を触覚により識別することができる。
【００１４】
また、請求項４記載の盲人用用紙移動規制具によれば、上述した請求項１又は請求項２記載の考案の効果に加え、壁は、平面視、時計回りに、上辺、右辺、下辺、左辺からなる四角形状であり、前記右辺の中央部は、前記右辺のそれぞれの端部に比較し低く形成され、前記下辺の中央部は、前記下辺のそれぞれの端部に比較し低く形成され、前記左辺の中央部は、前記左辺のそれぞれの端部に比較し低く形成されているため、用紙に書又は絵を描く際、筆又は、筆を持った腕が  、阻害されることを防いで、平板内の用紙に書又は絵を描くことができ、しかも、上辺、右辺、下辺、左辺の内、上辺のみ他の辺と異なるため、触覚によって上辺を認識し、盲人用用紙移動規制具の位置を識別することができる。
【００１５】
また、請求項５記載の盲人用半紙移動規制具によれば、一端を平坦部に取り付け、他端を壁の外方へ延びるように配置されたリボンを有するため、リボンを引っ張ることにより、平坦部と用紙との間に隙間を形成して、用紙を平坦部から容易に取り外すことができる。
【００１６】
また、請求項６記載の盲人用半紙移動規制具によれば、一端を毛氈に取り付け、他端を壁の外方へ延びるように配置されたリボンを有するため、リボンを引っ張ることにより、毛氈と用紙との間に隙間を形成して、用紙を平坦部から容易に取り外すことができる。
【考案を実施するための最良の形態】
【００１７】
本考案の一実施例を図面を参照して説明する。
図１〜図６において、Ａは盲人用用紙移動規制具で、盲人用用紙移動規制具Ａは、書又は絵を描く用紙１を置く平坦な面を有した平坦部２と、この平坦部２の周囲を全体に亘って囲むように形成された壁３とを備えている。
また、平坦部２の平面視の大きさは、平坦部２から用紙１を取り外すために、用紙１よりやや大きく形成されている。
なお、図１及び図２に記載の４は、用紙１と平坦部２との間に形成される隙間を示している。また、用紙１は、本実施例では、書道用の用紙であるが、絵を描く場合は、絵画用の用紙となる。
従って、盲人用用紙移動規制具Ａの形状は、用途に応じて、適宜決められるもので、本考案の図面に記載されたものに限られないことは、勿論のことである。
【００１８】
壁３は、平面視、時計回りに、上辺３１、右辺３２、下辺３３、左辺３４からなる四角形状であり（図１）、上辺３１の一部に凸部３１ａ（図２）又は凹部３１ｂ（図８）を形成し、上辺３１の位置を触覚により識別できるようにしてある。
この凸部３１ａ（図２）又は凹部３１ｂ（図８）により、盲人は盲人用用紙移動規制具Ａの位置を識別することができる。
【００１９】
５は筆で、筆５に付ける液体は、一般の墨汁（絵の場合、絵の具）ではなく  、熱を与えることにより発泡膨張して立体的な模様を形成する機能性インキであり、好ましくは、この機能性インキに松煙墨（絵の場合、機能性インキに着色顔料を加える。）を加え、書いた書又は絵が盲人ばかりでなく、晴眼者においても鑑賞できるようにすると良い。特に、盲人にとっては、単なる凸部でなく、描く筆圧による高低差のある凸部を触覚により識別でき、例えば、書の場合、晴眼者にとって容易にわかる書のかすれの度合いを、盲人も間接的に理解できるようになる。
なお、松煙墨の場合、例えば、機能性インキ８５〜９０の体積に対し、松煙墨１５〜１０の体積である。また、筆５内に、例えば、図７に示すように、松煙墨を含む機能性インキの液体を内蔵する容器５１を設けるようにしても良い。
また、用途が書の場合、平坦部２の上は、毛氈２１が位置するようにすると良い（図３及び図４）。この場合、平坦部２は、ベース２０と毛氈２１とで構成されるが、平坦部２は、場合により、毛氈２１を用いず、ベース２０のみで構成しても良い。  
また、筆５で用紙１に書又は絵を描いた後、図示しない手段（例えば、オーブン）により熱を加え、機能性インキを発泡膨張させるようにする（図６参照）。図６に示す６は、熱により固化した松煙墨を含む機能性インキを示している。
【００２０】
従って、この実施例の盲人用用紙移動規制具Ａによれば、平坦部２の周囲を全体に亘って囲むように形成された壁３により、書又は絵を描く用紙１の移動が阻止されるため、盲人が平坦部２内の用紙１に書又は絵を描くことができ、しかも、平坦部２の周囲の壁３の位置を触覚によって、平坦部２内の用紙１の位置を間接的に把握できるため、盲人が平坦部２内の用紙１の描きたい部位に書又は絵を描くことができ、更に、書又は絵を描く用紙１に厚みがない場合、該用紙１が風により移動することをも防ぐことができる。
【００２１】
なお、盲人用用紙移動規制具Ａの形状は、図１、図８に限らず、図９、図１０〜図１２記載のものでも良い。
即ち、図１０記載の盲人用用紙移動規制具Ａは、壁３は、図１、図８記載のものと同様、平面視、時計回りに、上辺３１、右辺３２、下辺３３、左辺３４からなる四角形状であるが、右辺３２の中央部は、右辺３２のそれぞれの端部に比較し低く形成され（右辺３２の中央部の高さは、例えば、平坦部２から約２ｃｍ）、また、下辺３３の中央部は、下辺３３のそれぞれの端部に比較し低く形成され（下辺３３の中央部の高さは、例えば、平坦部２から約２ｃｍ）、また、左辺３４の中央部は、左辺３４のそれぞれの端部に比較し低く形成され（左辺３４の中央部の高さは、例えば、平坦部２から約２ｃｍ）、また、上辺３１の中央部は、上辺３１のそれぞれの端部と同一高さ（例えば、平坦部２から約４ｃｍ）に形成されている。
このように中央部を端部に比べ低くすることにより、用紙１に書又は絵を描く際、筆５又は、筆５を持った腕が、阻害されることを防いで、平坦部２内の用紙１に書又は絵を描くことができ、しかも、上辺３１、右辺３２、下辺３３、左辺３４の内、上辺３１のみ他の辺３２，３３，３４と異なるため、触覚によって上辺３１を認識し、盲人用用紙移動規制具Ａの位置を識別することができる。
【００２２】
また、図１０〜図１２に示す盲人用用紙移動規制具Ａには、リボン７が設けられている。このリボン７は、リボン７の一端を平坦部２に取り付け、リボン７の他端を壁３の外方へ延びるように配置するようにする（図１０及び図１１参照）。そのため、図１２に示すように、リボン７を引っ張ることにより、平坦部２と用紙１との間に隙間Ｓを形成して、用紙１を平坦部２から容易に取り外すことができる。上述したように、平坦部２をベース２０と毛氈２１とで構成した場合、リボン７の一端は平坦部２に、例えば、接着により取り付けられるが、平坦部２を毛氈２１を用いず、ベース２０のみで構成した場合、リボン７の一端はベース２０に、例えば、接着により取り付けられることとなる。なお、図１０〜図１２に示す盲人用用紙移動規制具Ａの説明においては、図１０〜図１２に、上述した実施例と同一部分に同一符号を付してその説明を省略する。
【図面の簡単な説明】
【００２３】
【図１】図１は、本考案の一実施例の盲人用用紙移動規制具に用紙を置いた状態の概略的平面図である。
【図２】図２は、図１の盲人用用紙移動規制具の使用状態の概略的斜視図である。
【図３】図３は、図１の盲人用用紙移動規制具を分解して示す概略的分解斜視図である。
【図４】図４は、図２の４−４線による概略的断面図である。
【図５】図５は、図２の用紙に書が描かれた状態の概略的平面図である。
【図６】図６は、図４の用紙に熱を加え、機能性インキを含む液体が固化した状態を示す図５の６−６線による概略的断面図である。
【図７】図７は、図１の筆と異なる筆の概略的断面図である。
【図８】図８は、図１の盲人用用紙移動規制具と異なる盲人用用紙移動規制具の概略的斜視図である。
【図９】図９は、図８の盲人用用紙移動規制具と異なる盲人用用紙移動規制具の概略的斜視図である。
【図１０】図１０は、図９の盲人用用紙移動規制具と異なる盲人用用紙移動規制具の概略的平面図である。
【図１１】図１１は、図１０の盲人用用紙移動規制具の概略的斜視図である。
【図１２】図１２は、図１１のリボンを引っ張った状態の盲人用用紙移動規制具の概略的断面図である。
【符号の説明】
【００２４】
Ａ    盲人用用紙移動規制具
１    用紙
２    平坦部
３    壁
【図１】
0003136344.tif 000003
【図２】
0003136344.tif 000004
【図３】
0003136344.tif 000005
【図４】
0003136344.tif 000006
【図５】
0003136344.tif 000007
【図６】
0003136344.tif 000008
【図７】
0003136344.tif 000009
【図８】
0003136344.tif 000010
【図９】
0003136344.tif 000011
【図１０】
0003136344.tif 000012
【図１１】
0003136344.tif 000013
【図１２】
0003136344.tif 000014